(57)【要約】【課題】床面は勿論、絨毯を掃除するときも抵抗が小さくスムーズに移動することができ、その上静電気が帯電して塵埃が付着することもない電気掃除機の吸込み具及びこれを備えた電気掃除機を提供すること。【解決手段】下面に吸込み口１３を有する下ケース１２と上ケース４０との間にロータリブラシ７０が回転自在に配設され、後部側に連結部１５が突設されて連結部１５の後端部下部に後車輪１８が設けられた吸込み具本体１１と、この吸込み具本体１１の連結部１５に上下方向に回動自在に連結された連結継手５０と、連結継手５０に左右方向に回動自在に連結された接続管６０とを有し、吸込み具本体１１の連結部１５に、上方に傾斜した連結継手受け部２１を設けると共に、この連結継手受け部２１の下方に空間部２５を介して下ケース１３の下面とほぼ同一平面上に連結部底板２４を設けた。【選択図】図１
2008183173.tif 000002
【特許請求の範囲】
【請求項１】
下面に吸込み口を有する下ケースと上ケースとの間にロータリブラシが回転自在に配設され、後部側に連結部が突設されて該連結部の後端部下部に後車輪が設けられた吸込み具本体と、該吸込み具本体の連結部に上下方向に回動自在に連結された連結継手と、該連結継手に左右方向に回動自在に連結された接続管とを有し、
前記吸込み具本体の連結部に、上方に傾斜した連結継手受け部を設けると共に、該連結継手受け部の下方に空間部を介して前記下ケースの下面とほぼ同一平面上に連結部底板を設けたことを特徴とする電気掃除機の吸込み具。
【請求項２】
前記連結継手受け部と連結部底板との間に形成された空間部の後部側に開口部を設けたことを特徴とする請求項１記載の電気掃除機の吸込み具。
【請求項３】
前記連結部底板を、前面側を水平な水平面部で形成し、後面側を上方に傾斜した傾斜面部で形成して、該傾斜面部の後端部を前記後車輪の軸より上方に位置させたことを特徴とする請求項１又は２記載の電気掃除機の吸込み具。
【請求項４】
前記連結継手受け部にバイパス風路を設けたことを特徴とする請求項１〜３のいずれかに記載の電気掃除機の吸込み具。
【請求項５】
前記バイパス風路を、前記連結継手を最大限に上方に回動したときに開口するような位置に設けたことを特徴とする請求項４記載の電気掃除機の吸込み具。
【請求項６】
前記バイパス風路に、前記連結継手の回動に連動して該バイパス風路を開閉するシャッタを設けたことを特徴とする請求項４記載の電気掃除機の吸込み具。
【請求項７】
前記バイパス風路に、外部からの操作により該バイパス風路を開閉するシャッタを設けたことを特徴とする請求項４記載の電気掃除機の吸込み具。
【請求項８】
請求項１〜７のいずれかの吸込み具を備えたことを特徴とする電気掃除機。
【発明の詳細な説明】
【技術分野】
【０００１】
本発明は、一般家庭等で使用される電気掃除機の吸込み具及びこの吸込み具を備えた電気掃除機に関するものである。
【背景技術】
【０００２】
図１４は従来の電気掃除機の一部を示す断面図で、一端が掃除機本体に接続され、他端に握り部が設けられたホースユニット（図示せず）に接続された延長パイプ１０１に、吸込み具１０２が接続されている。
この吸込み具１０２は、吸込み具本体１０３、この吸込み具本体１０３に上下方向に回動自在に連結された連結継手１０４及び連結継手１０４に左右方向に回動自在に連結され、延長パイプ１０１に接続される接続管１０５からなっている。そして、吸込み具本体１０３内の前面側にはロータリブラシ１０６が設けられており、前部側及び後部側には左右一対の車輪１０７，１０８が設けられている。なお、１０９は延長パイプ１０１に設けられた収納用フックホルダである。
【０００３】
このような電気掃除機は、ホースユニットの握り部を持って電源をＯＮし、床面上等に吸込み具１０２を移動させ、掃除機本体に設けた電動送風機の吸引力により床面等の塵埃を吸引し、延長パイプ１０１、ホースユニットを経て掃除機本体内の集塵室内に捕集する。このとき、モータ、あるいは吸込み風力によってロータリブラシ１０６が回転し、床面等の塵埃を掻きあげる。
【０００４】
また、従来の電気掃除機に、回転清掃体の駆動モータの電源としての複数の蓄電池を、吸込体内に設けた空間部内に配置し、この空間部の下面開口部を電源蓋で閉塞したものがある（例えば、特許文献１参照）。
【０００５】
【特許文献１】特開２００２−３４８６５号公報（第７−９頁、図６−８）
【発明の開示】
【発明が解決しようとする課題】
【０００６】
電気掃除機は、ホースユニットの握り部を持って床面等に沿って吸込み具１０２を移動させると、床面等を押す力は延長パイプ１０１、接続管１０５を経て連結継手１０４の支持軸に伝達されるため、連結継手１０４の支持軸は、床面等を押す方向の力を前後方向の力に変更する基点となっている。図１４に示す従来の吸込み具１０２は連結継手１０４の支持軸の直下の領域に凹部１１０があるため、吸込み具１０２の移動の際に大きな抵抗が生じる。
【０００７】
また、図１４に示す従来の吸込み具１０２においては、例えば、絨毯を掃除するときに、連結継手１０４の下面に形成された凹部１１０内に絨毯の毛足１１１が侵入し、これが毛足の長さや毛の向きによって大きな抵抗となる。これらのことから、吸込み具１０２の吸付き効果と相俟って、吸込み具１０２の移動のために腕、肘、腰等に大きな負担がかかるという問題があった。
【０００８】
また、特許文献１の吸込体は、空間部の下面開口部に床面とほぼ平行に電源蓋が設けられているため凹部は存在しないが、この吸込体に設けた空間部は回動軸とは別部品で形成されているので、吸込体の前後の掃除動作の間、常に回転清掃体に摺接しているため、両者の間の摩擦により回転清掃体の上下方向の回動が重くなるという問題がある。
【０００９】
さらに、絨毯の掃除の際に、絨毯と電源蓋との間に摩擦が生じるため静電気が帯電し、電池蓋に塵埃が付着して掃除に支障を来たすという問題がある。これを防止するためには、電池蓋を特別な材料で形成するか、又は除電対策を講じる必要があるが、前者はコストアップとなり、後者は閉空間のため静電気の帯電を防止することは困難であった。
【００１０】
本発明は、上記の課題を解決するためになされたもので、床面は勿論、絨毯を掃除するときも抵抗が小さくスムーズに移動することができ、その上静電気が帯電して塵埃が付着することもない電気掃除機の吸込み具及びこの吸込み具を備えた電気掃除機を提供することを目的としたものである。
【課題を解決するための手段】
【００１１】
本発明に係る電気掃除機の吸込み具は、下面に吸込み口を有する下ケースと上ケースとの間にロータリブラシが回転自在に配設され、後部側に連結部が突設されて該連結部の後端部下部に後車輪が設けられた吸込み具本体と、該吸込み具本体の連結部に上下方向に回動自在に連結された連結継手と、該連結継手に左右方向に回動自在に連結された接続管とを有し、前記吸込み具本体の連結部に、上方に傾斜した連結継手受け部を設けると共に、該連結継手受け部の下方に空間部を介して前記下ケースの下面とほぼ同一平面上に連結部底板を設けたものである。
【００１２】
また、本発明に係る電気掃除機は、上記の吸込み具を備えたものである。
【発明の効果】
【００１３】
本発明に係る電気掃除機の吸込み具によれば、連結継手受け部の下部の下ケースの下面とほぼ同一平面上に連結部底板を設けたので、床面は勿論絨毯を掃除するときも抵抗が小さくスムーズに移動することができ、その上静電気が帯電して塵埃が付着することもない。
また、上記の吸込み具を備えたことにより、操作性がよく使い勝手のよい電気掃除機を得ることができる。
【発明を実施するための最良の形態】
【００１４】
図５は本発明に係る電気掃除機の全体構成を示す斜視図である。
図において、１は掃除機本体で、内部の前側には集塵室が設けられており、後側には電動送風機、制御基板、コードリール等（いずれも図示せず）が配置されている。２はホースユニットで、ホース３の一端には掃除機本体１に着脱自在に接続される接続具４が設けられており、他端には操作部６を有する握り部５が設けられている。７は下部に収納用フックホルダ８が設けられてホースユニット２の握り部５に着脱自在に接続される延長パイプ、９はコードリールに巻かれた電源コード、１０は延長パイプ７に着脱自在に接続される吸込み具である。
【００１５】
［実施の形態１］
図１は本発明の実施の形態１に係る吸込み具の中央断面図、図２は図１の上面斜視図、図３は図１の下面斜視図、図４は図１の分解斜視図である。
吸込み具１０は、下ケース１２と上ケース４０からなり、両者の間にロータリブラシ７０が回転自在に配設された吸込み具本体部１１と、下ケース１２と上ケース４０の間に上下方向に回動自在に連結された連結継手５０と、連結継手５０に左右方向に回動自在に連結され、延長パイプに着脱自在に接続される接続管６０とからなっている。
【００１６】
下ケース１２は矩形状の底板とこれを取囲む前壁、後壁、両側壁（以下の説明では、図１の左側を前、右側を後という）によりほぼ箱状に形成されており、底板の長手方向には吸込み口１３が開口し、前壁には吸込み口１３に連通する複数の前面開口部１４が設けられている。また、後面側の長手方向の中央部には、連結継手５０の連結部１５が突設されている。
１６は吸込み口１３の前面側の両側に、軸１７により回転自在に装着された前車輪、１８は連結部１５の後端部の下部に、軸１９により回転自在に装着された後車輪である。
【００１７】
また、下フレーム１２の底板の吸込み口１３と連結部１５の間には、吸込み口１３とほぼ同じ長さのスパチュラ取付溝２０が設けられており、連結部１５には、スパチュラ取付溝２０の上端部から後面側に向って斜め上方に延設され、連結継手５０の連結部５１に対応した形状の連結継手受け部２１が設けられており、その両側上面にはほぼ半円状の軸受部２２が設けられている。なお、この連結継手受け部２１は、床面から７０〜１０ｍｍ程度の高さ位置となっている。２３は連結継手受け部２１のスパチュラ取付溝２０に近接して左右方向に開口したバイパス風路である。
【００１８】
また、連結部１５の下端部には、スパチュラ取付溝２０の下端部から後方に延設された連結部底板２４が設けられており、この連結部底板２４は、下ケース１２の底板とほぼ同一平面に形成された水平面部２４ａと、その後部側が斜め上方に向って傾斜する傾斜面部２４ｂとからなり、傾斜面部２４ｂの後端部は、後車輪１８と僅かなすき間を隔てて、後車輪１８の軸１９より上方に位置している。
【００１９】
このように、連結部１５は連結継手受け部２１と連結部底板２４とにより二重構造となっており、両者の間には空間部２５が形成され、その後部側の開口部２６は指が入る程度の大きさとなっている。なお、２７は連結継手受け部２１と連結部底板２４との間に設けられた補強リブ、２８は連結部の両側に設けられたねじ挿通穴、２８ａは吸込み口１３の前面側に設けたねじ挿通穴である。
【００２０】
上ケース４０は、上面がベッドの下などにも挿入しうるように、ロータリブラシ７０の外形に対応した円弧状で低く形成され、下ケース１２の吸込み口１３を覆う本体部４１と、本体部４１の後部側に所定の間隔で突設されて、下ケース１２の連結部１５の両側上面を覆う一対の取付腕４２とからなり、下ケース１２の連結部１５に設けた軸受部２２と、上ケース４０の取付腕４２の下面に設けたほぼ半円状の軸受部４３とにより、連結継手５０の軸受を形成する。
【００２１】
上記のような上ケース４０の本体部４１が透明又は半透明の着色材料で形成されている場合は、一部を他の部分より透明に近い色に形成し、あるいは一部に肉厚部を設けてレンズ効果をもたせるようにしてもよい。
このように構成することにより、掃除中に上からロータリブラシ７０の状態を目視することができるので、メンテナンス時期等を容易に判断することができる。
【００２２】
連結継手５０は、下ケース１２の連結部１５と上ケース４０の取付腕４２との間に、上下方向に回動自在に連結される本体部５１と、接続管６０が接続される接続部５２とからなり、両者には下ケース１２の吸込み口１３に連通する風路５３が設けられている。そして、本体部５１の両側壁には、下ケース１２と上ケース４０とによって形成された軸受部２２，４３に回動自在に支持される支持軸５４が設けられており、本体部５１と下ケース１２の連結部１５との間に介装されたばね５５により、連結継手４０を常時上方に向って付勢している。また、接続部５２には一対のストッパ５６が設けられて、これに回動自在に嵌合される接続管６０の回動範囲（例えば、１８０°）を規制している。なお、接続管６０において、６１はストッパ５６の係止穴６２を有する嵌合部、６３は延長パイプ７への接続部で、連結継手５０の風路５３に連通する風路６４を備えている。
【００２３】
７０は吸込み具１０の下ケース１２の吸込み口１３と上ケース４０の本体部４１との間に、回転自在に配設されたロータリブラシで、外周に螺旋状の複数の溝７２を有する２個のホルダ７１の軸方向に設けた貫通穴７３にロータリシャフト７４を挿通し、溝７２に毛ブラシ７５を挿入して固定し、両側から貫通穴７３とロータリシャフト７４に固定軸７６を嵌入して一体に固定したものである。そして、外面に四角柱状の突部７８を有する軸受部７７を、ロータリシャフト７４及び固定軸７６に回転自在に嵌合する。
【００２４】
このロータリブラシ７０は、その軸受部７７の突部７８を下フレーム１２の吸込み口１３の両側において側壁に設けた支持部２９に嵌合し、ロータリブラシ６０を回転自在に支持する。
８０は下フレーム１２のスパチュラ取付部２０に挿入固定されるスパチュラホルダで、植毛ブラシからなるスパチュラ８６が着脱可能に装着される。
【００２５】
次に、上記のような各部からなる吸込み具１０の組立手順の一例について説明する。なお、下ケース１２には前車輪１６、後車輪１８及びスパチュラ８６が取付けられ、ロータリブラシ７０は組立てられており、接続管６０は連結継手５０に連結されているものとする。
【００２６】
先ず、ロータリブラシ７０を下フレーム１２内に収容し、その両端部に設けた突部７８を下フレーム１２の両側壁に設けた支持部２９に嵌合する。ついで、連結継手５０の支持軸５４を下フレーム１２の軸受部２２に嵌合し、本体部５１と下ケース１２の連結部１５との間にばね５５を介装する。そして、上ケース４０の本体部４１を下ケース１２に嵌合すると共に、取付腕４２に設けた軸受部４３を連結継手５０の支持軸５４に嵌合して軸受とし、下ケース１２に設けたねじ挿通穴２８，２８ａに下から挿通したねじを上ケース４０に螺入し、両者を一体に固定する。
これにより、連結継手５０は吸込み具本体１１に上下方向に回動自在に支持され、ロータリブラシ７０は吸込み具本体１１内に回転自在に支持される。
【００２７】
このとき、下ケース１２の連結継手受け部２１と連結継手５０の本体部５１との間には、０．１〜１ｍｍ程度のすき間が形成されるので、風路５３の真空度にほとんど影響を与えることなく、連結継手５０を上下方向にスムーズに回動することができる。
また、吸込み具本体１１と連結継手５０との間にばね５５を介装し、連結継手４０を常時上方に回動するように付勢しているので、例えば、掃除機本体１を立たせてその底面に延長パイプ７に設けた収納用フックホルダ８（図５参照）を係止させて収納するような場合、吸込み具１０が床面に突きささるような状態にならず、底面が床面上等に載置されるため、好ましい状態で収納することができる。
また、後車輪１８と連結継手５０との間には、吸込み口本体１１の連結部１５に設けた開口部２６が開口する。
【００２８】
次に、上記のように構成した吸込み具１０を備えた電気掃除機の作用を説明する。
図５に示す電気掃除機において、コード９を電源コンセントに差込み、握り部５に設けた操作部６の電源スイッチをＯＮして電動送風機に通電し、駆動する。そして、床用吸込み具１０を床面等に沿って移動させ、吸込み口１３及び前面開口部１４から外気を吸引して、床面等に設けた塵埃等を外気と共に吸引し、また、吸引力によりロータリブラシ７０を回転させて塵埃等を掻き上げて、延長パイプ７、ホースユニット２を経て掃除機本体１の集塵室に捕集する。
塵埃等が集塵室に捕集された空気はフィルタにより清浄化され、電動送風機、制御基板等を冷却したのち、掃除機本体１の後壁に設けた排気口から排出される。
【００２９】
本発明によれば、吸込み具１０の下ケース１２の連結部１５の下面の床面から僅かに高い位置で下ケース１２の底面とほぼ同一平面に、水平面部２４ａを有する連結部底板２４を設けたので、吸込み具１０を移動する際の抵抗が小さく、大きな力を要することなく、床面上等をスムーズに移動させることができる。また、下フレーム１２の連結部１５の下部を、連結継手受け部２１と連結部底板２４とにより二重構造としたので、連結部１５の剛性を高めることができる。
【００３０】
また、上記のように連結部１５の下部を二重構造としたので、毛足の長い絨毯を掃除しても連結継手受け部２１の下に塵埃等が侵入することがない。若し、連結継手受け部２１と連結部底板２４の後部側に設けた開口部２６から空間部２５に塵埃等が侵入したときは、連結継手受け部２１に設けたバイパス風路２３から連結継手５０の風路５３に吸込まれるため、空間部２５に塵埃等が溜ることはない。なお、上記の空間部２５に塵埃等が付着したときは、開口部２６から指や棒などを入れて除去すればよい。このとき、連結部底板２４の後端部が、後車輪１８の軸より上方に位置しているので、開口部２６に指を入れ易い。
【００３１】
さらに、上記の空間部２５は後面側に開口部２６が設けられているので、空間部２５に塵埃等が付着する静電気の帯電を防止することができる。
また、ロータリブラシ７０やスパチュラ８０などに塵埃等が付着したり、糸屑が絡まったりしたときは、図６に示すように、吸込み具１０を裏返えして、後車輪１８と連結部底板２４の傾斜面部２４ｂとの間に指を掛けて持ち、この状態で塵埃等を除去すればよいので、清掃が容易である。
【００３２】
［実施の形態２］
図７〜図９は本発明の実施の形態２に係る吸込み具の断面図である。なお、実施の形態１と同じ部分にはこれと同じ符号を付し、説明を省略する。
本実施の形態は、吸込み具１０の下ケース１２の連結継手受け部２１に設けたバイパス風路２３に関するものである。
【００３３】
図７の吸込み具１０は、下ケース１２のバイパス風路２３を連結継手受け部２１の後端部近傍に設け、吸込み具１０の通常の動作範囲（例えば、床面等と接続管６０との角度が４５°程度）では、バイパス風路２３は連結継手５０の本体部５１で閉塞されており、連結継手５０が上方に最大限に回動したときにバイパス風路２３が開口するように構成したものである。
【００３４】
このように構成したことにより、吸込み具１０の通常の動作範囲ではバイパス風路２３は閉塞されているので、連結継手５０の風路５３の真空度が維持されて吸引力に影響することがなく掃除を行うことができ、必要に応じて連結継手５０を上方に最大限回動すれば、バイパス風路２３が開口されて、空間部２５内の塵埃等を連結継手５０の風路５３に吸引させて排出することができる。
【００３５】
図８の吸込み具１０は、連結継手受け部２１のスパチュラ取付部２０の近傍にバイパス風路２３を設けると共に、連結継手受け部２１の内周面に、上面の後部側に突部３１を有するシャッタ３０を設け、連結継手受け部２１とシャッタ３０との間に介装したばね３２によりシャッタ３０をバイパス風路２３側に付勢して、バイパス風路２３を閉塞するようにしたものである。
このように構成したことにより、常時はバイパス風路２３はシャッタ３０により閉塞されており、連結継手５０を上方に最大限回動すると、その先端部外周に設けた突縁５６がシャッタ３０の突部３１に当ってシャッタ３０を摺動させ、バイパス風路２３を開口する。
本吸込み具１０においても、図７の吸込み具１０と同様の効果を得ることができる。
【００３６】
図９の吸込み具１０は、連結継手受け部２１にスパチュラ取付部２０に近接してバイパス風路２３を設けると共に、連結継手受け部２１の下面に、外部に設けた操作部（図示せず）を操作して前後に摺動させるシャッタ３３を設け、必要に応じてシャッタ３３を前後に摺動させてバイパス風路２３を開閉するようにしたものである。なお、下ケース１２とシャッタ３３との間に、シャッタ３３をバイパス風路２３を閉じる方向に付勢するばねを設け、シャッタ３３を摺動させてバイパス風路２３を開口したのち、操作部から指を離すと、シャッタ３３が自動的に摺動してバイパス風路２３を閉じるようにしてもよい。
【００３７】
吸込み具１０により、毛足の長い（例えば、１０ｍｍ以上）絨毯を掃除する場合、吸込み口１３が絨毯の毛足で塞がれて密閉状態になり、吸い付きを起こして吸込み具１０の移動が困難になることがある。このような場合、図９の吸込み具１０によれば、操作部によりシャッタ３３を摺動させてバイパス風路２３を開口することにより、吸込み具１０の吸い付きを抑制して容易に掃除を行うことができる。
【００３８】
［実施の形態３］
図１０は本発明の実施の形態３に係る吸込み具の側面図である。なお、実施の形態１と同じ部分にはこれと同じ符号を付し、説明を省略する。
実施の形態１の吸込み具１０は、吸込み具本体１１の下ケース１２の下面に吸込み口１３を設けると共に、前壁に複数の前面開口部１４を設け、吸込み口１３と前面開口部１４から塵埃等を吸引するようになっている。
【００３９】
このような吸込み具１０において、掃除中に前面側が壁面等に当ると、前面開口部１４が閉塞されて吸込み口１３からのみ塵埃を吸引することになるので、吸引力が低下すると共にロータリブラシ７０の回転も低下する。
本実施の形態は、下ケース１２の両側壁に吸込み口１３に連通する側面開口部３５を設けたものである。このように構成したことにより、吸込み具１０の前面側が壁面等に当っても、塵埃等を吸込み口１３と側面開口部３５から吸引し、またロータリブラシ７０を回転させるので、吸引力やロータリブラシ７０の回転の低下を抑制することができ、支障なく掃除を行うことができる。
【００４０】
［実施の形態４］
本実施の形態は、吸込み具１０のロータリブラシ及びスパチュラに関するものである。
実施の形態１においては、ホルダ７１に毛ブラシ７５を装着したロータリブラシ７０を用いた場合を示したが、本実施の形態は、これに代えて、図１１に示すように、ロータリブラシ７０をゴム質ロータリ７９で構成したものである。
この場合、ロータリシャフト７４、固定軸７６及び軸受部７７は兼用できるので、必要に応じて適宜毛ブラシ７５とゴム質ロータリ７９とを交換することができる。
【００４１】
また、実施の形態１では、植毛ブラシからなるスパチュラ８６を用いた場合を示したが、本実施の形態においては、これに代えて、図１２（ａ），（ｂ）に示すように、頭部８８ａと脚部８８ｂからなるＴ字状のゴム質スパチュラ８７を用いたものである。
この場合、吸込み具１０を前進させて掃除する際に、ゴム質スパチュラ８７の脚部８８ｂの下部が後方に折り曲げられて、床面等と下ケース１２との間に挟まれ、動作が重くなることがある。この傾向は絨毯を掃除する際に特に著しい。
【００４２】
本実施の形態においては、下ケース１２の底部のゴム質スパチュラ８７の折り曲げ部が当る部分に、この折り曲げ部を収納するスペース（凹部）３６を設け、このスペース３６に折り曲げ部分を収納して、折り曲げられたゴム質スパチュラ８７の底面が、下ケース１２の底面とほぼ同一平面になるように構成した。
これにより、抵抗なく吸込み具１０を前進できるので、操作性を向上することができる。
図１２（ｃ）はゴム質スパチュラ８７の他の例を示すもので、脚部８８ｂの前面側の下部の長手方向に断面爪状の突部８９を設けたものである。ゴム質スパチュラ８７をこのように構成したことにより、絨毯を掃除する際に、突部８９に絨毯を叩く機能と絨毯上の糸屑等を引掛ける機能を持たせることができる。
【００４３】
図１３は掃除機本体１１の下ケース１２に設けたスパチュラ取付溝２０に取付けて、スパチュラ８６，８７を装着するスパチュラホルダ８０の例を示す正面図である。
図１３（ａ），（ｂ）はゴムの如き弾性材からなり、ゴム質スパチュラ８７が装着されるスパチュラホルダ８１の正面図で、断面ほぼコ字状に形成されており、上部にはゴム質スパチュラ８７の頭部８８ａが嵌入される嵌合溝８２が設けられ、下部は脚部８８ｂが前後に折り曲げられる自由度を持たせるため、ハ字状８５に開口されている。
【００４４】
このようなスパチュラホルダ８１は、下ケース１２のスパチュラ取付溝２０に嵌入して取付けられるが、より強固に固定するには、例えばスパチュラ取付溝２０の内壁の長手方向に、内側に突出する突条（図示せず）を設ければよい。そして、このスパチュラ取付溝２０にスパチュラホルダ８１を嵌合すると、スパチュラホルダ８１の側壁はこの突条によって破線８４に示すように弾性変形して係止し、これに伴って上部が上方に向って突出するので、スパチュラホルダ８１はホルダ取付溝２０の内壁と天壁に強固に固定される（図には、誇張して示してある）。なお、このとき、嵌合溝８２の内壁も弾性変形して内側に突出するので、ゴム質スパチュラ８７の頭部８８ａを確実に保持することができる。
【００４５】
図１３（ｂ）は同じ構造のスパチュラホルダ８１であるが、この場合は、スパチュラ取付溝２０の天壁の長手方向に、内側に突出する突条を設けたものである。スパチュラ取付溝２０にスパチュラホルダ８１を嵌合すると、その天面が弾性変形して破線８４に示すように弾性変形して係止し、これに伴って嵌合溝８２の天面が下方に突出するので、スパチュラホルダ８１は強固に固定され、ゴム質スパチュラ８７の頭部８８ａは確実に保持される。
【００４６】
図１３（ｃ）はゴムの如き弾性材からなる植毛ブラシ８６のスパチュラホルダ８０の正面図で、断面ほぼＨ状に形成され、毛足を長くするために、下部にほぼΩ状の嵌合溝８５が設けられており、この嵌合溝８５に植毛スパチュラ８６の植毛板８６ａを挿入して取付けるようにしたものである。
本実施の形態によれば、スパチュラホルダ８０，８１を交換することにより、植毛スパチュラ８６とゴム質スパチュラ８７を適宜交換することができる。
【００４７】
上記の説明では、図示の吸込み具に本発明を実施した場合を示したが、例えばロータリブラシをモータで回転させる吸込み具など、他の構造の吸込み具にも本発明を実施することができる。
また、図５に示す電気掃除機に本発明に係る吸込み具を設けた場合を示したが、他の構造の電気掃除機にも本発明に係る吸込み具を用いることができる。
【図面の簡単な説明】
【００４８】
【図１】本発明の実施の形態１に係る吸込み具の中央断面図である。
【図２】図１の上面斜視図である。
【図３】図１の下面斜視図である。
【図４】図１の分解斜視図である。
【図５】本発明に係る吸込み具を備えた電気掃除機の説明図である。
【図６】図１の吸込み具の効果の説明図である。
【図７】本発明の実施の形態２に係る吸込み具の中央断面図である。
【図８】本発明の実施の形態２に係る吸込み具の他の例の中央断面図である。
【図９】本発明の実施の形態２に係る吸込み具の他の例の中央断面図である。
【図１０】本発明の実施の形態３に係る吸込み具の側面図である。
【図１１】本発明の実施の形態４に係る吸込み具のロータリブラシの分解斜視図である。
【図１２】本発明の実施の形態４に係る吸込み具の中央断面図及びゴム質スパチュラの斜視図である。
【図１３】本発明の実施の形態４に係るスパチュラホルダの正面図である。
【図１４】従来の電気掃除機の一部を示す断面図である。
【符号の説明】
【００４９】
１  掃除機本体、２  ホースユニット、７  延長パイプ、１０  吸込み具、１１  吸込み具本体、１２  下ケース、１３  吸込み口、１５  連結部、１６  前車輪、１８  後車輪、２０  スパチュラ取付溝、２１  連結継手受け部、２３  バイパス風路、２４  連結部底板、２４ａ  水平面部、２４ｂ  傾斜面部、２５  空間部、２６  開口部、３０，３３  シャッタ、４０  上フレーム、５０  連結継手、５４  支持軸、５５  ばね、６０  接続管、７０  ロータリブラシ。
【図１】
2008183173.tif 000003
【図２】
2008183173.tif 000004
【図３】
2008183173.tif 000005
【図４】
2008183173.tif 000006
【図５】
2008183173.tif 000007
【図６】
2008183173.tif 000008
【図７】
2008183173.tif 000009
【図８】
2008183173.tif 000010
【図９】
2008183173.tif 000011
【図１０】
2008183173.tif 000012
【図１１】
2008183173.tif 000013
【図１２】
2008183173.tif 000014
【図１３】
2008183173.tif 000015
【図１４】
2008183173.tif 000016